(57)【要約】【課題】表示画面の複数の分割領域の一つを拡大することに伴って縮小される他の分割領域の画像表示が見難くなることを抑制する。【解決手段】タッチパネルに対して表示画面の分割領域Ｄ１の拡大操作が行われると、表示制御部は、拡大された分割領域Ｄ１に画像を拡大させて表示させるとともに、縮小配置部により縮小させて配置された他の分割領域Ｄ２〜Ｄ４に当該他の分割領域の特定部分ＳＥの画像を拡大させて表示させる。これにより、縮小される他の分割領域Ｄ２〜Ｄ４の画像表示が見難くなることを抑制することができる。【選択図】図７
2019125053.tif 000002
【特許請求の範囲】
【請求項１】
表示画面を複数に分割した複数の分割領域ごとに画像を表示する表示部と、
前記表示画面における前記複数の分割領域のうちの１つの分割領域を拡大させる拡大操作をユーザーから受け付ける操作部と、
ユーザーによる前記操作部の拡大操作により拡大された前記１つの分割領域を除く前記表示画面における残領域を特定する残領域特定部と、
前記残領域特定部が特定した前記残領域に、前記拡大された１つの分割領域以外の他の分割領域を全て配置するための配置領域を決定する配置領域決定部と、
前記配置領域決定部が決定した配置領域に前記他の分割領域をそれぞれ縮小させて配置する縮小配置部と、
前記拡大された１つの分割領域に当該１つの分割領域の画像を拡大させて表示させるとともに、前記縮小配置部により縮小させて配置された前記他の分割領域において当該他の分割領域の特定部分の画像を当該他の分割領域内で拡大させて表示させる表示制御部と、を備える情報端末装置。
【請求項２】
前記他の分割領域に表示される画像を画像認識することにより当該画像中に対象者又は対象物が含まれるか否かを判断する画像判断部を更に備え、
前記表示制御部は、前記画像判断部が当該画像中に対象者を含むと判断した場合には、前記画像判断部が顔認識した前記対象者の顔を含む部分を前記特定部分として前記他の分割領域内で拡大して表示させ、前記画像判断部が当該画像中に予め定められた対象物を含むと判断した場合には、前記画像判断部が認識した前記対象物を含む部分を前記特定部分として前記他の分割領域内で拡大して表示させる、請求項１に記載の情報端末装置。
【請求項３】
前記残領域特定部が特定した前記残領域から前記配置領域決定部が決定した前記配置領域を除いた空き領域が前記表示画面に対して占める割合が、予め定められた特定割合以上であるか否かを判定する判定部を更に備え、
前記表示制御部は、前記判定部が前記特定割合以上であると判定した場合には、前記空き領域に、前記複数の分割領域の画像の種別を示す種別表示画像と、予め定められた時間を示す時間軸に対してイベントが発生した時期を示すイベント発生表画像とを表示させ、前記判定部が前記特定割合未満であると判定した場合には、前記空き領域に、前記種別表示画像を表示させずに前記イベント発生表画像を表示させる、請求項１又は請求項２に記載の情報端末装置。
【請求項４】
前記表示制御部は、前記イベント発生表画像が示すイベントと、当該イベントに関係する分割領域との対応関係を示す対応表示画像を表示させる、請求項３に記載の情報端末装置。
【請求項５】
前記表示制御部は、ユーザーによる前記操作部の拡大操作に基づいて前記１つの分割領域を拡大させて画像を表示させた場合に、前記１つの分割領域を拡大させたことを示す拡大操作マークを前記イベント発生表画像における前記拡大操作の時期に相当する箇所に表示させる、請求項３又は請求項４に記載の情報端末装置。
【請求項６】
ネットワークを介して配信される複数の画像を表示可能な情報端末装置と、アプリケーションサーバーとが通信可能な情報処理システムであって、
前記情報端末装置は、前記複数の画像の配信元へ当該複数の画像を要求する要求部と、
前記要求部に要求した前記複数の画像を、表示画面を複数に分割した複数の分割領域ごとに表示する表示部と、
前記表示画面における前記複数の分割領域のうちの１つの分割領域を拡大させる拡大操作をユーザーから受け付ける操作部と、
ユーザーによる前記操作部の拡大操作により拡大された前記１つの分割領域を除く前記表示画面における残領域を特定する残領域特定部と、
前記残領域特定部が特定した前記残領域に、前記拡大された１つの分割領域以外の他の分割領域を全て配置するための配置領域を決定する配置領域決定部と、
前記配置領域決定部が決定した配置領域に前記他の分割領域をそれぞれ縮小させて配置する縮小配置部と、
ユーザーによる前記操作部の拡大操作により拡大された前記１つの分割領域と前記縮小配置部により前記配置領域に縮小させて配置された前記他の分割領域とに関する通知を前記アプリケーションサーバーに出力する通知部と、
前記アプリケーションサーバーの送信部によって送信される画面情報を取得する取得部と、
前記取得部が取得した前記画面情報を用いて、前記拡大された１つの分割領域に当該１つの分割領域の画像を拡大させて表示させるとともに、前記縮小配置部により縮小させて配置された前記他の分割領域において当該他の分割領域の特定部分の画像を当該他の分割領域内で拡大させて表示させる表示制御部と、を備え、
前記アプリケーションサーバーは、前記通知部からの通知に従って、前記情報端末装置における前記表示画面での前記拡大された１つの分割領域と前記縮小された他の分割領域との画面情報を送信する前記送信部を備える、情報処理システム。
【請求項７】
コンピューターを、
ユーザーによる操作部の拡大操作により表示画面の複数の分割領域のうちの一つの分割領域を拡大させた前記１つの分割領域を除く前記表示画面における残領域を特定する残領域特定部と、
前記残領域特定部が特定した前記残領域に、前記拡大された１つの分割領域以外の他の分割領域を全て配置するための配置領域を決定する配置領域決定部と、
前記配置領域決定部が決定した配置領域に前記他の分割領域をそれぞれ縮小させて配置する縮小配置部と、
前記拡大された１つの分割領域に当該１つの分割領域の画像を拡大させて表示させるとともに、前記縮小配置部により縮小させて配置された前記他の分割領域において当該他の分割領域の特定部分の画像を当該他の分割領域内で拡大させて表示させる表示制御部として機能させる表示制御プログラム。
【発明の詳細な説明】
【技術分野】
【０００１】
本発明は、情報端末装置、情報処理システム及び表示制御プログラムに関し、特に、表示画面における複数の分割表示を切り替えるための技術に関する。
【背景技術】
【０００２】
近年では、複数の監視カメラで撮影された各監視画像をパーソナル・コンピューターのＷｅｂブラウザで閲覧することが可能な情報処理システムがある。Ｗｅｂブラウザは、Ｗｅｂページを閲覧するためのアプリケーションソフトである。一例として、アプリケーションサーバーの監視画像の閲覧サービスの提供を受けるためのアプリケーションソフトがある。
【０００３】
特許文献１に記載された情報処理システムは、複数（例えば４台）の監視カメラと、監視画像の閲覧サービスを提供するアプリケーションサーバーと、このアプリケーションサーバーが提供するＷｅｂブラウザをインストールした携帯端末とを備え、携帯端末からアプリケーションサーバーに閲覧請求があった場合に、４台の監視カメラで撮影された監視画像をＷｅｂブラウザに表示可能な画面情報を携帯端末に提供し、この携帯端末の表示画面に４台の監視カメラの監視画像が表示可能に構成されている。この携帯端末は、表示領域が大きい１つの主画面と、当該主画面の右横に縦並びに配置されて表示領域が小さい３つの副画面とからなる４画面表示が可能である。そして、表示画面に設けられたタッチパネルに対して、ユーザーの指が主画面を触れた状態で副画面の方にスライドさせる操作（つまり、主画面の拡大操作）が検出されると、主画面が表示画面全体にまで拡大されて表示されるようになっている。
【先行技術文献】
【特許文献】
【０００４】
【特許文献１】特開２０１４−６９１４号公報
【発明の概要】
【発明が解決しようとする課題】
【０００５】
しかしながら、特許文献１では、主画面と３つの副画面とからなる４画面表示の携帯端末に対して、ユーザーが主画面の拡大操作をすると、主画面が表示画面全体にまで拡大されて表示されるので、主画面の監視画像は見易くなるものの、３つの副画面が消去されてしまう。このため、副画面の監視画像をユーザーが目視できないという問題がある。もし仮に、主画面の拡大に上限を定めて、３つの副画面を残すようにしたとしても、主画面の拡大に伴って３つの副画面が縮小されることに変わりはないため、副画面の監視画像が縮小によって見難くなることは否めない。
【０００６】
本発明は、上記の事情に鑑みなされたものであり、表示画面の複数の分割領域のうち１つの分割領域を拡大することに伴って他の分割領域が縮小される場合であっても、縮小される他の分割領域の画像表示が見難くなることを抑制することを目的とする。
【課題を解決するための手段】
【０００７】
本発明の一局面にかかる情報端末装置は、表示画面を複数に分割した複数の分割領域ごとに画像を表示する表示部と、
前記表示画面における前記複数の分割領域のうちの１つの分割領域を拡大させる拡大操作をユーザーから受け付ける操作部と、
ユーザーによる前記操作部の拡大操作により拡大された前記１つの分割領域を除く前記表示画面における残領域を特定する残領域特定部と、
前記残領域特定部が特定した前記残領域に、前記拡大された１つの分割領域以外の他の分割領域を全て配置するための配置領域を決定する配置領域決定部と、
前記配置領域決定部が決定した配置領域に前記他の分割領域をそれぞれ縮小させて配置する縮小配置部と、
前記拡大された１つの分割領域に当該１つの分割領域の画像を拡大させて表示させるとともに、前記縮小配置部により縮小させて配置された前記他の分割領域において当該他の分割領域の特定部分の画像を当該他の分割領域内で拡大させて表示させる表示制御部と、を備えるものである。
【０００８】
また、本発明の別の一局面にかかる情報処理システムは、ネットワークを介して配信される複数の画像を表示可能な情報端末装置と、アプリケーションサーバーとが通信可能な情報処理システムであって、
前記情報端末装置は、前記複数の画像の配信元へ当該複数の画像を要求する要求部と、
前記要求部に要求した前記複数の画像を、表示画面を複数に分割した複数の分割領域ごとに表示する表示部と、
前記表示画面における前記複数の分割領域のうちの１つの分割領域を拡大させる拡大操作をユーザーから受け付ける操作部と、
ユーザーによる前記操作部の拡大操作により拡大された前記１つの分割領域を除く前記表示画面における残領域を特定する残領域特定部と、
前記残領域特定部が特定した前記残領域に、前記拡大された１つの分割領域以外の他の分割領域を全て配置するための配置領域を決定する配置領域決定部と、
前記配置領域決定部が決定した配置領域に前記他の分割領域をそれぞれ縮小させて配置する縮小配置部と、
ユーザーによる前記操作部の拡大操作により拡大された前記１つの分割領域と前記縮小配置部により前記配置領域に縮小させて配置された前記他の分割領域とに関する通知を前記アプリケーションサーバーに出力する通知部と、
前記アプリケーションサーバーの送信部によって送信される画面情報を取得する取得部と、
前記取得部が取得した前記画面情報を用いて、前記拡大された１つの分割領域に当該１つの分割領域の画像を拡大させて表示させるとともに、前記縮小配置部により縮小させて配置された前記他の分割領域において当該他の分割領域の特定部分の画像を当該他の分割領域内で拡大させて表示させる表示制御部と、を備え、
前記アプリケーションサーバーは、前記通知部からの通知に従って、前記情報端末装置における前記表示画面での前記拡大された１つの分割領域と前記縮小された他の分割領域との画面情報を送信する前記送信部を備えるものである。
【０００９】
また、本発明の別の一局面にかかる表示制御プログラムは、コンピューターを、
ユーザーによる操作部の拡大操作により表示画面の複数の分割領域のうちの一つの分割領域を拡大させた前記１つの分割領域を除く前記表示画面における残領域を特定する残領域特定部と、
前記残領域特定部が特定した前記残領域に、前記拡大された１つの分割領域以外の他の分割領域を全て配置するための配置領域を決定する配置領域決定部と、
前記配置領域決定部が決定した配置領域に前記他の分割領域をそれぞれ縮小させて配置する縮小配置部と、
前記拡大された１つの分割領域に当該１つの分割領域の画像を拡大させて表示させるとともに、前記縮小配置部により縮小させて配置された前記他の分割領域において当該他の分割領域の特定部分の画像を当該他の分割領域内で拡大させて表示させる表示制御部として機能させるものである。
【発明の効果】
【００１０】
本発明によれば、表示画面の複数の分割領域のうち１つの分割領域を拡大することに伴って他の分割領域が縮小される場合であっても、縮小される他の分割領域の画像表示が見難くなることを抑制することができる。
【図面の簡単な説明】
【００１１】
【図１】本発明の一実施形態にかかる情報端末装置及び情報処理システムの構成を示すブロック図である。
【図２】情報処理システムにおける画像表示処理を示すフローチャートである。
【図３】情報端末装置の表示画面における複数の分割領域のうちの１つの分割領域を拡大表示するための処理を示すフローチャートである。
【図４】情報端末装置の表示画面の４つの分割領域に４台の監視カメラの画像がそれぞれ表示されている一例を示す図である。
【図５】図４に示す表示画面の左上の分割領域が拡大操作されていることを示す図である。
【図６】図５に示す左上の分割領域の拡大操作に伴って他の分割領域が右縦並びに再配置されたことを示す図である。
【図７】図６に示す右縦並びの分割領域の画像が拡大表示されるとともに空き領域に種別表示画像とイベント発生表画像とが表示されることを示す図である。
【図８】図６に示す空き領域が小さい場合に当該空き領域にイベント発生表画像のみが表示されることを示す図である。
【図９】変形例のアプリケーションサーバーにおけるイベント検知処理を示すフローチャートである。
【発明を実施するための形態】
【００１２】
以下、本発明の実施形態にかかる情報端末装置及び情報処理システムについて図面を参照して詳細に説明する。
【００１３】
図１は、本発明の情報端末装置及び情報処理システムの構成を示すブロック図である。本実施形態の情報処理システム１００は、配信装置３０の複数の監視カメラ３１〜３４で撮影された各監視画像を、タブレット型コンピューターなどの情報端末装置１０のＷｅｂブラウザで閲覧することが可能な情報処理システムである。
【００１４】
情報処理システム１００は、情報端末装置１０と、配信装置３０と、アプリケーションサーバー４０と、ネットワーク５０とを備える。情報端末装置１０、配信装置３０及びアプリケーションサーバー４０が、ネットワーク５０を介してそれぞれ通信可能に接続されている。
【００１５】
配信装置３０は、複数（本実施形態では４台）の監視カメラ３１〜３４と、情報端末装置１０及びアプリケーションサーバー４０と通信可能なルータ３５と、を備える。ルータ３５は、監視カメラ３１〜３４と接続されている。なお、監視カメラ３１〜３４は、静止画像や動画像（これらをまとめて画像という。）を撮影する装置であり、動画像のことを映像ともいう。また、一つの監視カメラで複数の画像を提供してもよい。
【００１６】
アプリケーションサーバー４０は、ルータ３５に接続される４台の監視カメラ３１〜３４のＩＰアドレスを管理し、情報端末装置１０からこれらの監視カメラ３１〜３４が撮影している各画像に対する閲覧要求がなされた場合、画像をブラウザに表示可能な画面情報を提供するＷＥＢアプリケーションサーバーである。
【００１７】
情報端末装置１０は、例えばタブレット型コンピューターである携帯端末装置であって、表示部１２と、タッチパネル１３と、通信部１４と、記憶部１５と、制御ユニット２０とを備える。これらの構成要素は、互いにバスを通じてデータ又は信号の送受信が可能とされている。情報端末装置１０は、アプリケーションサーバー４０のサービスの提供を受けるためブラウザがインストールされている。なお、情報端末装置１０は、スマートフォンなどの携帯端末装置、デスクトップ型のパーソナル・コンピューターなどであってもよい。
【００１８】
表示部１２は、液晶ディスプレイ（ＬＣＤ：Liquid Crystal Display）や有機ＥＬ（ＯＬＥＤ：Organic Light-Emitting Diode）などから構成される。
【００１９】
タッチパネル１３は、所謂抵抗膜方式や静電容量方式等のタッチパネルである。タッチパネル１３は、表示部１２の画面に配置され、表示部１２の画面に対する指などの接触をその接触位置と共に検知する。タッチパネル１３は、指などの接触を検知すると、その接触位置の座標を示す検知信号を制御ユニット２０の制御部２１などに出力する。従って、タッチパネル１３は、表示部１２の画面に対するユーザー操作が入力される操作部としての役割を果たす。
【００２０】
また、情報端末装置１０は、ユーザー操作が入力される操作部として、上記のタッチパネル１３に加えてハードキーを備えてもよい。
【００２１】
通信部１４は、不図示の無線ＬＡＮチップなどの通信モジュールを備える通信インターフェイスである。通信部１４は、配信装置３０とアプリケーションサーバー４０との通信機能を有する。
【００２２】
記憶部１５は、大容量のＳＳＤ（Solid State Drive）、ＨＤＤ（Hard Disk Drive）などからなり、各種のデータやプログラムを記憶している。
【００２３】
制御ユニット２０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２０は、上記のＲＯＭ又は記憶部１５に記憶された制御プログラムが上記プロセッサーで実行されることにより、制御部２１、通信制御部２２、残領域特定部２３、配置領域決定部２４、縮小配置部２５、表示制御部２６、画像判断部２７及び判定部２８として機能する。なお、制御ユニット２０の上記の各構成要素は、前述の制御プログラムに基づく動作によらず、それぞれハード回路により構成されてもよい。
【００２４】
制御部２１は、情報端末装置１０の全体的な動作制御を司る。また、制御部２１は、表示部１２、タッチパネル１３、通信部１４、および記憶部１５などと接続されており、上記各構成要素の動作制御や、各構成要素との間での信号またはデータの送受信を行う。制御部２１は、特に、表示部１２の表示動作を制御する。通信制御部２２は、通信部１４の通信動作を制御する機能を有する。
【００２５】
表示制御部２６は、後述する図４に示すように、表示部１２の表示画面を、例えば４画面表示とするように制御する。具体的には、表示制御部２６は、表示部１２の表示画面を左上、右上、左下及び右下の４つに等分割した４つの分割領域Ｄ１〜Ｄ４に、４台の監視カメラ３１〜３４で撮影された各監視画像がそれぞれ表示されるように制御する。また、表示制御部２６は、図４に示すように各分割領域Ｄ１〜Ｄ４の左上隅部に「Ｃ１」〜「Ｃ４」と表示させ、それぞれ監視カメラ３１〜３４が撮影した画像であることを示している。図４では、監視カメラ３１〜３４の各監視画像を円形、三角形、五角形、星形で示している。本実施形態では、後述する図５に示すように、拡大操作された分割領域Ｄ１の画像に含まれる対象者（例えば円形で図示）が監視すべき対象者として特定され、他の分割領域Ｄ２〜Ｄ４にそれぞれ示す三角形、五角形、星形は、監視対象から除外されるとする。
【００２６】
また、制御部２１は、タッチパネル１３から出力される検知信号に基づき、ユーザーにより入力されたユーザー操作を特定する。そして、制御部２１は、特定したユーザー操作に応じた制御を行う。
【００２７】
上記ユーザー操作には、例えば、タッチ操作、ドラッグ操作、スワイプ操作などがある。例えば、ユーザーがタッチパネル１３に指を接触させて直ちに離すと、タッチパネル１３は、接触を検知した位置を示す検知信号を制御部２１に出力する。制御部２１は、該検知信号を入力すると、この検知信号に基づきユーザー操作がタッチ操作であることを検出する。このタッチ操作は、例えば表示部１２の画面上のソフトキーに対して行われる。
【００２８】
また、ユーザーがタッチパネル１３に指を接触させた状態を維持（つまり長押し）した後にそのままゆっくりと指を移動させると、タッチパネル１３は、最初に接触を検出した初期位置が予め定められた時間（例えば０．５秒）維持されて当該初期位置から最後に接触を検出した最終位置までの各移動位置を示す検知信号を制御部２１に出力する。制御部２１は、該検知信号を入力すると、この検知信号に基づきユーザー操作がドラッグ操作であること、及びドラッグ操作の操作方向及び最終位置を検出する。本実施形態では、ドラッグ操作は、例えば、表示部１２の画面上の１つの分割領域を拡大させるときに該１つの分割領域の角部に対して行われる拡大操作が含まれる。具体的には、図５に示すように、表示部１２の表示画面における例えば拡大操作前の１つの分割領域Ｄ１の右下角部の位置（つまり初期位置Ｐ１）にユーザーの指を接触させた状態が前記予め定められた時間以上維持された後にそのままゆっくりと指を最終位置Ｐ２に移動させることで、タッチパネル１３は、初期位置Ｐ１が前記予め定められた時間維持されて当該初期位置Ｐ１から最終位置Ｐ２までの各移動位置を示す検知信号を制御部２１に出力する。制御部２１は、該検知信号を入力すると、この検知信号に基づきユーザー操作がドラッグ操作（拡大操作）であること、及びドラッグ操作の操作方向及び最終位置Ｐ２を検出する。なお、本実施形態では、ドラッグ操作（拡大操作）は、分割領域Ｄ１のアスペクト比を維持する拡大操作としているが（分割領域Ｄ２〜Ｄ４の何れか一つを拡大させる場合についても同様）、アスペクト比を維持しない拡大操作としてもよい。
【００２９】
また、ユーザーがタッチパネル１３に指を接触させた状態で直ちに指を移動させると、タッチパネル１３は、最初に接触を検出した初期位置から最後に接触を検出した最終位置までの各移動位置を示す検知信号を制御部２１に出力する。制御部２１は、該検知信号を入力すると、この検知信号に基づきユーザー操作がスワイプ操作であること、及びスワイプ操作の操作方向を検出する。このスワイプ操作は、例えば、表示部１２の画面上のアイコンを移動させるときに該アイコンに対して行われる。
【００３０】
残領域特定部２３は、図５に示すように、ユーザーによるタッチパネル１３の拡大操作（ドラッグ操作）により拡大された１つの分割領域Ｄ１を除く表示部１２の表示画面における残領域Ａ１を特定する。上記ドラッグ操作（拡大操作）により、分割領域Ｄ１の右下角部が最終位置Ｐ２に移動されたことが、制御部２１にて検出され、残領域特定部２３は、右下角部が最終位置Ｐ２に移動した拡大された分割領域Ｄ１を除く、表示部１２の表示画面における残領域Ａ１を特定する。
【００３１】
配置領域決定部２４は、図６に示すように、残領域特定部２３が特定した残領域Ａ１に、拡大された１つの分割領域Ｄ１以外の他の分割領域Ｄ２〜Ｄ４を全て配置するための配置領域Ａ３を決定する。例えば、配置領域決定部２４は、表示画面における、右下角部が最終位置Ｐ２に移動した拡大された分割領域Ｄ１の右側領域部分を、配置領域Ａ３として決定する。
【００３２】
縮小配置部２５は、図６に示すように、配置領域決定部２４が決定した配置領域Ａ３に他の分割領域Ｄ２〜Ｄ４をそれぞれ縮小させて配置する。なお、本実施形態では、縮小配置部２５は、アスペクト比が維持されるように分割領域Ｄ２〜Ｄ４を縮小させているが（分割領域Ｄ１を含めて縮小させる場合についても同様）、アスペクト比が維持されない縮小としてもよい。
【００３３】
画像判断部２７は、他の分割領域（図６の分割領域Ｄ２〜Ｄ４）に表示される画像を画像認識処理（例えば、既知の顔認識処理、人物認識処理など）を実行することにより、当該画像中に対象者又は対象物が含まれるか否かを判断する。本実施形態では、画像判断部２７は、図５に示すように拡大操作された分割領域Ｄ１に表示される画像を画像認識し、当該分割領域Ｄ１の画像に含まれる対象者（例えば円形で図示）を監視すべき対象者として特定する。具体的には、画像判断部２７は、既知の顔認証処理を実行することにより、拡大された分割領域Ｄ１に表示される画像情報に基づいて当該対象者の顔認証情報（例えば、対象者の画像の中から顔領域が決定され、この顔領域における目・鼻・口などの顔の特徴点を示す情報等）を抽出する。そして、画像判断部２７は、前記抽出した当該対象者の顔認証情報を、照合元登録データとして記憶部１５に記憶させる。次に、画像判断部２７は、他の分割領域（図６の分割領域Ｄ２〜Ｄ４）に表示される画像中に、監視すべき対象者（例えば円形で図示）が含まれるか否かを、分割領域Ｄ２〜Ｄ４ごとに判断する。具体的には、画像判断部２７は、既知の顔認証処理を実行することにより、分割領域Ｄ２〜Ｄ４ごとの画像情報に基づいて抽出した対象者の顔認証情報が、記憶部１５の照合元登録データと一致するかどうかを判断し、一致した場合には分割領域Ｄ２〜Ｄ４の画像中に監視すべき対象者が含まれると判断する。なお、図６の分割領域Ｄ２〜Ｄ４の画像には、監視すべき対象者（例えば円形で図示）が含まれることを図示している。
【００３４】
また、表示制御部２６は、図７に示すように、拡大された１つの分割領域Ｄ１に当該１つの分割領域Ｄ１の画像を拡大させて表示させるとともに、縮小配置部２５により縮小させて配置された他の分割領域Ｄ２〜Ｄ４に監視すべき対象者（例えば円形で図示）が表示された場合（すなわち、画像判断部２７が他の分割領域Ｄ２〜Ｄ４の画像中に対象者を含むと判断した場合）には、監視すべき対象者（例えば円形で図示）を含む特定部分ＳＥの画像を当該他の分割領域Ｄ２〜Ｄ４内で拡大させて表示させる。
【００３５】
より具体的に言えば、表示制御部２６は、縮小配置部２５により縮小させて配置された他の分割領域Ｄ２の画像中に対象者を含むと画像判断部２７が判断した場合、図６に示すように、他の分割領域Ｄ２の画像の一部分である特定部分ＳＥの画像（つまり、対象者の画像）を、図７に示すように当該分割領域Ｄ２内で拡大させて表示させる。また、他の分割領域Ｄ３、Ｄ４の画像中に対象者を含むとそれぞれ判断した場合に、他の分割領域Ｄ３、Ｄ４の特定部分ＳＥ（つまり、対象者）がそれぞれ拡大されて表示される。このようにすることで、分割領域Ｄ２〜Ｄ４が縮小されたにもかかわらず、分割領域Ｄ２〜Ｄ４の特定部分ＳＥ（つまり、対象者）が拡大されて表示されるので、分割領域Ｄ２〜Ｄ４の特定部分ＳＥを見易く表示することができる。
【００３６】
なお、表示制御部２６は、画像判断部２７が他の分割領域Ｄ２〜Ｄ４の画像中に対象者を含むと判断した場合に、画像判断部２７が顔認識した対象者の顔を含む部分（例えば、対象者の顔を含む矩形状領域部分）を特定部分ＳＥとして他の分割領域Ｄ２〜Ｄ４内で拡大して表示させるようにしてもよい。この場合には、分割領域Ｄ２〜Ｄ４が縮小されたにもかかわらず、分割領域Ｄ２〜Ｄ４の特定部分ＳＥ（つまり、対象者の特徴部分である顔）が拡大されて表示されるので、分割領域Ｄ２〜Ｄ４の特定部分ＳＥをさらに見易く表示することができる。
【００３７】
本実施形態では、監視対象は、図５に示すように監視すべき対象者（例えば円形で図示）としているが、例えば予め定められた対象物（例えば消火器）を監視対象としてもよい。この場合には、画像判断部２７は、例えば既知のパターンマッチング画像処理を実行することにより、分割領域Ｄ１〜Ｄ４の画像中に当該対象物（例えば消火器）を含むか否かを判断することができる。画像判断部２７が他の分割領域Ｄ２〜Ｄ４の画像中に当該対象物（例えば消火器）を含むと判断すると、表示制御部２６は、画像判断部２７が認識した対象物（例えば消火器）を含む部分（例えば消火器全体又は一部を含む矩形状領域部分）を特定部分ＳＥとして他の分割領域Ｄ２〜Ｄ４内で拡大して表示させる。このようにすることで、分割領域Ｄ２〜Ｄ４が縮小されたにもかかわらず、分割領域Ｄ２〜Ｄ４の特定部分ＳＥ（つまり、対象物）が拡大されて表示されるので、分割領域Ｄ２〜Ｄ４の特定部分ＳＥ（つまり、対象物）を見易く表示することができる。
【００３８】
判定部２８は、残領域特定部２３が特定した残領域Ａ１（図５参照）から配置領域決定部２３が決定した配置領域Ａ３を除いた空き領域Ａ２（図６参照）が、表示画面に対して占める割合が予め定められた特定割合（例えば１０％）以上であるか否かを判定する。表示制御部２６は、判定部２８が特定割合（例えば１０％）以上であると判定した場合には、図７に示すように、空き領域Ａ２に、複数の分割領域の画像の種別（例えば撮影場所を示す情報）を示す種別表示画像ＭＩと、横方向に延びる撮影時間軸に対してイベントＥＶが発生した時期を示すイベント発生表画像ＥＴＩとを表示させる。
【００３９】
種別表示画像ＭＩは、図７に示すように、分割領域Ｄ１〜Ｄ４の画像がそれぞれ、１階正門前の監視カメラ３１（カメラＣ１）、２階東廊下の監視カメラ３２（カメラＣ２）、２階西廊下の監視カメラ３３（カメラＣ３）、２階北廊下の監視カメラ３４（カメラＣ４）で撮影されたものであるといった撮影場所を示す画像である。
【００４０】
イベント発生表画像ＥＴＩは、例えば監視すべき対象者（例えば円形で図示）の出現などのイベントＥＶが、撮影時間のいずれの時刻に発生したのかを示す画像である。本実施形態のイベント発生表画像ＥＴＩは、撮影時間軸を有し、この撮影時間軸の左端が当日の午前零時を、撮影時間軸の右端が同日の現在をそれぞれ示す。具体的には、表示制御部２６は、画像判断部２７が分割領域Ｄ１〜Ｄ４の画像中に監視すべき対象者を含むと判断した場合に、イベント発生表画像ＥＴＩにおける当該判断した時点に相当する箇所にイベントＥＶを表示させる。ユーザーは、図７に示すように、表示部１２の空き領域Ａ２に表示されるイベント発生表画像ＥＴＩの各イベントＥＶを見ることで、イベントＥＶがあったことを把握することができる。
【００４１】
また、イベント発生表画像ＥＴＩには、１つの分割領域を拡大させる拡大操作があった場合に、当該１つの分割領域を拡大させたことを示す拡大操作マークＥＸが、その拡大操作の時期に相当する箇所に表示される。ユーザーは、図７に示すように、表示部１２の空き領域Ａ２に表示されるイベント発生表画像ＥＴＩの拡大操作マークＥＸを見ることで、拡大操作があったことを把握することができる。
【００４２】
一方、表示制御部２６は、判定部２８が特定割合（例えば１０％）未満であると判定した場合には、図８に示すように、空き領域Ａ２に、種別表示画像ＭＩを表示させずにイベント発生表画像ＥＴＩを表示させる。このようにすることで、分割領域の拡大操作に起因する表示部１２の表示画面における空き領域Ａ２の大きさに応じて、適切な表示を行うことができる。
【００４３】
表示制御部２６は、イベント発生表画像ＥＴＩが示すイベントＥＶと、当該イベントＥＶに関係する分割領域との対応関係を示す対応表示画像を表示させる。この対応表示画像は、図７に示すように、イベント発生表画像ＥＴＩのイベントＥＶの上位置に表示された「Ｃ１」〜「Ｃ４」のことである。例えば、図７に示すイベント発生表画像ＥＴＩの左端のイベントＥＶの上位置に表示された対応表示画像である「Ｃ１」は、監視カメラ３１（カメラＣ１）で撮影された画像に関するイベント、つまり分割領域Ｄ１のイベントであることを示す。表示制御部２６は、ユーザーによるタッチパネル１３の拡大操作に基づいて１つの分割領域Ｄ１を拡大させて画像を表示させた場合に、この分割領域Ｄ１を拡大させたことを示す拡大操作マークＥＸをイベント発生表画像ＥＴＩにおける拡大操作の時期に相当する箇所に表示させる。
【００４４】
本実施形態では、過去の時点（図７では現在よりも３つ前の時点）で分割領域Ｄ１に監視すべき対象者（例えば円形で図示）が表示され、ユーザーがそのときに拡大操作を行ったため、イベント発生表画像ＥＴＩにおける当該過去の時点に相当する箇所に拡大操作マークＥＸが表示されている。また、監視すべき対象者（例えば円形で図示）が、時間経過とともに監視カメラ３２（カメラＣ２）、監視カメラ３３（カメラＣ３）、監視カメラ３４（カメラＣ４）の順に出現したために、監視すべき対象者（例えば円形で図示）の出現を示すイベントＥＶがイベント発生表画像ＥＴＩにそれぞれ表示されている。なお、図７では、イベント発生表画像ＥＴＩにおける左端から２番目のイベント（例えば、拡大操作）の時期に相当する箇所に、拡大操作マークＥＸが表示されている。このため、ユーザーは、この時期にも拡大操作があったことが分かる。
【００４５】
次に、本実施形態の情報処理システム１００における画像表示処理、すなわち、情報端末装置１０において各監視画像をＷｅｂブラウザで閲覧するための処理を、図２に示すフローチャートなどを参照して説明する。
【００４６】
まず、情報端末装置１０の制御部２１は、ユーザーによる起動操作に基づいて、ブラウザを起動し（Ｓ１０１）、ブラウザにアプリケーションサーバー４０のＵＲＬ（Uniform Resource Locator）を指定し、この指定したＵＲＬに対してアクセス要求を行う（Ｓ１０２）。アプリケーションサーバー４０は、アクセス要求を受け付け（Ｓ１０３）、ログイン画面を表示するための画面情報を送信する（Ｓ１０４）。
【００４７】
情報端末装置１０の通信部１４は、ログイン画面を表示するための画面情報を受信する（Ｓ１０５）。情報端末装置１０の制御部２１は、ＩＤ情報及びパスワードからなる認証情報を送信する（Ｓ１０６）。アプリケーションサーバー４０は、認証情報を受信し（Ｓ１０７）、この受信した認証情報を用いて認証処理を行い（Ｓ１０８）、メニュー画面（操作メニュー）を表示するための画面情報を送信する（Ｓ１０９）。
【００４８】
情報端末装置１０の通信部１４は、メニュー画面を表示するための画面情報を受信する（Ｓ１１０）。そして、情報端末装置１０の表示制御部２６は、表示部１２にメニュー画面を表示させる。このメニュー画面には、配信装置３０からの監視画像の表示を選択する操作項目などが表示されている。
【００４９】
情報端末装置１０の制御部２１は、表示部１２のメニュー画面において、配信装置３０からの監視画像の表示を選択する操作項目が選択されると、アプリケーションサーバー４０に対して、４台の監視カメラ３１〜３４で撮影された各監視画像を表示するための表示要求を行う（Ｓ１１１）。
【００５０】
アプリケーションサーバー４０は、表示要求を受け付け（Ｓ１１２）、フレームを特定する（Ｓ１１３）。初期設定（デフォルト）では、複数画面表示と表示する設定となっているため、複数画面表示のフレームが特定される。より具体的には、複数の画像を表示するための複数のフレーム情報と、それぞれのフレーム領域内に表示する監視カメラのＩＰアドレスとが対応づけられた分割画面（分割領域）を表示する画面情報を特定する。なお、本実施の形態におけるフレームは、表示部１２の表示画面を左上、右上、左下及び右下の４つに等分割した４つの分割領域を持っているものである（これを４画面フレームと称する）。これらは、ＨＴＭＬ形式等の構造化言語により表現されるものである。
【００５１】
アプリケーションサーバー４０は、４画面フレームを表示するための画面情報を送信する（Ｓ１１４）。情報端末装置１０の通信部１４は、４画面フレームを表示するための画面情報を受信する（Ｓ１１５）。
【００５２】
情報端末装置１０の制御部２１は、４台の監視カメラ３１〜３４に対して画像を要求する（Ｓ１１６）。具体的には、４画面フレームを表示するための画面情報に含まれる各フレームに対応する４台の監視カメラ３１〜３４のＩＰアドレスを用いて、４台の監視カメラ３１〜３４に対してそれぞれ画像の配信を要求する。
【００５３】
配信装置３０は、４台の監視カメラ３１〜３４が撮影した監視画像の配信要求を受け付ける（Ｓ１１７）。配信装置３０は、４台の監視カメラ３１〜３４による各監視画像を情報端末装置１０に配信する（Ｓ１１８）。情報端末装置１０の通信部１４は、４台の監視カメラ３１〜３４からの各監視画像を受信する（Ｓ１１９）。
【００５４】
情報端末装置１０の表示制御部２６は、４台の監視カメラ３１〜３４から受信した監視画像をそれぞれ対応するフレームに当てはめたブラウザ上の画像を表示画面に表示する（Ｓ１２０）。すなわち、表示部１２には、図４に示すように、４台の監視カメラ３１〜３４から受信した各監視画像を表示する４分割画面が表示される。
【００５５】
情報端末装置１０の制御部２１は、１つの分割領域を拡大させる拡大操作（ドラッグ操作）がされたか否かを判定する（Ｓ１２１）。制御部２１は、拡大操作（ドラッグ操作）がされた場合（Ｓ１２１「Ｙｅｓ」）、拡大操作に伴う表示変更処理を行う（Ｓ１２２）。
【００５６】
次に、本実施形態の情報処理システム１００における表示変更処理、すなわち、４つの分割領域のうち１つの分割領域を拡大することに伴って他の分割領域を縮小させた各監視画像を情報端末装置１０においてＷｅｂブラウザで閲覧するための処理を、図３に示すフローチャートなどを参照して説明する。
【００５７】
図３に示すように、情報端末装置１０の制御部２１は、拡大操作（ドラッグ操作）通知をアプリケーションサーバー４０に行う（Ｓ２０１）。
【００５８】
具体的には、残領域特定部２３は、ユーザーによるタッチパネル１３の拡大操作（ドラッグ操作）により拡大された１つの分割領域（図５の分割領域Ｄ１）を除く表示部１２の表示画面における残領域Ａ１を特定する。そして、配置領域決定部２４は、残領域特定部２３が特定した上記残領域Ａ１に、拡大された１つの分割領域（図６の分割領域Ｄ１）以外の他の分割領域（図６の分割領域Ｄ２〜Ｄ４）を全て配置するための配置領域Ａ３を決定する。そして、縮小配置部２５は、配置領域決定部２４が決定した配置領域Ａ３に他の分割領域（図６の分割領域Ｄ２〜Ｄ４）をそれぞれ縮小させて配置する。このようにして決められた変更後のレイアウトを示す拡大操作通知がアプリケーションサーバー４０に出力される。
【００５９】
アプリケーションサーバー４０は、拡大操作（ドラッグ操作）通知を受信し（Ｓ２０２）、イベント発生表画像ＥＴＩの撮影時間軸における当該拡大操作の受信の時期に相当する箇所に拡大操作マークＥＸを追加するというイベント発生表画像ＥＴＩの更新処理を実行し（Ｓ２０２Ａ）、拡大操作された変更後画面フレームを表示するための画面情報を送信する（Ｓ２０３）。情報端末装置１０の通信部１４は、拡大操作された変更後画面フレームを表示するための画面情報を受信する（Ｓ２０４）。
【００６０】
情報端末装置１０の制御部２１は、配信装置３０に対して画像を要求する。具体的には、変更後の１画面フレームを表示するための画面情報に含まれる各フレームに対応する４台の監視カメラ３１〜３４のＩＰアドレスを用いて、４台の監視カメラ３１〜３４に対して画像の配信を要求する（Ｓ２０５）。
【００６１】
４台の監視カメラ３１〜３４は、画像の配信要求を受け付け（Ｓ２０６）、画像を配信する（Ｓ２０７）。情報端末装置１０の通信部１４は、４台の監視カメラ３１〜３４からの画像を受信する（Ｓ２０８）。
【００６２】
情報端末装置１０の表示制御部２６は、４台の監視カメラ３１〜３４から受信した画像を拡大操作された変更後画面フレームに当てはめ、拡大された１つの分割領域（図７の分割領域Ｄ１）に当該１つの分割領域の画像（つまり、監視すべき対象者（例えば円形で図示）の画像）を拡大させて表示させるとともに、縮小配置部２５により縮小させて配置された他の分割領域（図７の分割領域Ｄ２〜Ｄ４）の画像中に監視すべき対象者（例えば円形で図示）を含むと画像判断部２７が判断した場合に、監視すべき対象者（例えば円形で図示）を含む特定部分ＳＥの画像を拡大させて表示させたブラウザ上の変更後画像を表示画面に表示する（Ｓ２０９）。
【００６３】
図７に示すように、表示部１２の表示画面において拡大された１つの分割領域Ｄ１には、監視カメラ３１の監視画像（つまり、監視すべき対象者（例えば円形で図示）を含む画像）が拡大されて表示され、表示部１２の表示画面において縮小された他の分割領域Ｄ２〜Ｄ４には、画像判断部２７が他の分割領域Ｄ２〜Ｄ４の画像中に対象者を含むと判断する毎に、監視カメラ３２〜３４の各監視画像の特定部分ＳＥの画像（つまり、監視すべき対象者（例えば円形で図示）の画像）が拡大されて表示される。
【００６４】
情報端末装置１０の判定部２８は、残領域特定部２３が特定した残領域Ａ１から配置領域決定部２３が決定した配置領域Ａ３を除いた空き領域Ａ２が、表示画面に対して占める割合が特定割合（例えば１０％）以上であるか否かを判定する（Ｓ２１０）。判定部２８が特定割合（例えば１０％）以上であると判定した場合（Ｓ２１０「Ｙｅｓ」）には、情報端末装置１０の制御部２１は、アプリケーションサーバー４０に対して種別表示画像ＭＩとイベント発生表画像ＥＴＩとの表示要求を行う（Ｓ２１１）。アプリケーションサーバー４０は、種別表示画像ＭＩとイベント発生表画像ＥＴＩとの表示要求を受信し（Ｓ２１２）、種別表示画像ＭＩとイベント発生表画像ＥＴＩと対応表示画像とを情報端末装置１０に送信する（Ｓ２１３）。情報端末装置１０の通信部１４は、種別表示画像ＭＩとイベント発生表画像ＥＴＩと対応表示画像とを受信する（Ｓ２１４）。情報端末装置１０の表示制御部２６は、図７に示すように、表示部１２の表示画面における空き領域Ａ２に、４つの分割領域の画像に関する種別表示画像ＭＩと、イベントＥＶの発生タイミングを示すイベント発生表画像ＥＴＩと対応表示画像とを表示させ（Ｓ２１５）、本処理を終了する。
【００６５】
すなわち、表示制御部２６は、判定部２８が特定割合（例えば１０％）以上であると判定した場合（Ｓ２１０「Ｙｅｓ」）には、図７に示すように、空き領域Ａ２に、複数の分割領域の画像に関する種別表示画像ＭＩと、イベントＥＶの発生タイミングを示すイベント発生表画像ＥＴＩとを表示させる。
【００６６】
判定部２８が、表示画面に対して空き領域Ａ２の占める割合が特定割合（例えば１０％）未満であると判定した場合（Ｓ２１０「Ｎｏ」）、情報端末装置１０の制御部２１は、アプリケーションサーバー４０に対してイベント発生表画像ＥＴＩのみの表示要求を行う（Ｓ２１７）。アプリケーションサーバー４０は、イベント発生表画像ＥＴＩの表示要求を受信し（Ｓ２１８）、イベント発生表画像ＥＴＩと対応表示画像とを情報端末装置１０に送信する（Ｓ２１９）。情報端末装置１０の通信部１４は、イベント発生表画像ＥＴＩと対応表示画像とを受信する（Ｓ２２０）。情報端末装置１０の表示制御部２６は、図８に示すように、表示部１２の表示画面における空き領域Ａ２に、イベントＥＶの発生タイミングを示すイベント発生表画像ＥＴＩと対応表示画像とを表示させ（Ｓ２２１）、本処理を終了する。
【００６７】
すなわち、表示制御部２６は、判定部２８が特定割合（例えば１０％）未満であると判定した場合（Ｓ２１０「Ｎｏ」）には、図８に示すように、空き領域Ａ２に、種別表示画像ＭＩを表示させずにイベント発生表画像ＥＴＩを表示させる。
【００６８】
図２に戻って、拡大操作に伴う表示変更処理（Ｓ１２２）の後、情報端末装置１０の制御部２１は、監視カメラの閲覧の表示終了を受けたか否かを判定する（Ｓ１２３）。制御部２１は、表示終了ではないと判定した場合（Ｓ１２３「Ｎｏ」）には、Ｓ１２１に戻り、表示終了と判定した場合（Ｓ１２３「Ｙｅｓ」）、本処理を終了する。
【００６９】
このように本実施形態では、表示部１２の表示画面を４つに分割した分割領域Ｄ１〜Ｄ４に４台の監視カメラ３１〜３４の各監視画像がそれぞれ表示される場合に、タッチパネル１３に対して表示画面の分割領域Ｄ１の拡大操作が行われると、表示制御部２６は、図７に示すように、拡大された分割領域Ｄ１に当該１つの分割領域の画像（監視カメラ３１の監視画像）を拡大させて表示させるとともに、縮小配置部２５により縮小させて配置された他の分割領域Ｄ２〜Ｄ４に当該他の分割領域の特定部分ＳＥの画像（監視カメラ３２〜３４における特定部分ＳＥの監視画像）を拡大させて表示させる。従って、表示画面の複数（４つ）の分割領域Ｄ１〜Ｄ４のうち１つの分割領域Ｄ１を拡大することに伴って他の分割領域Ｄ２〜Ｄ４が縮小される場合であっても、縮小される他の分割領域Ｄ２〜Ｄ４の画像表示が見難くなることを抑制することができる。
【００７０】
アプリケーションサーバー４０から、４画面フレーム又は変更後画面フレームを表示するための画面情報、種別表示画像ＭＩ、イベント発生表画像ＥＴＩ及び対応表示画像を受信しているが、情報端末装置１０が、上記画面情報を決定するとともに、種別表示画像ＭＩ、イベント発生表画像ＥＴＩ及び対応表示画像を所有又は配信装置３０から取得することにより、アプリケーションサーバー４０に対してはログイン及び認証のみを行う構成としてもよい。このようにすることで、情報端末装置１０のみで図４〜図８に示す一連の画面表示を行うことができる。
【００７１】
＜変形例＞
上記実施形態では、情報端末装置１０側において、イベントＥＶの検知を行っている。すなわち、画像判断部２７が分割領域Ｄ２〜Ｄ４の画像中に監視すべき対象者を含むと判断し、表示制御部２６は、イベント発生表画像ＥＴＩにおける当該判断した時点に相当する箇所にイベントＥＶを表示させている。これに対して、図９に示す変形例のように、アプリケーションサーバー４０側において、イベントＥＶの検知を行うようにしてもよい。
【００７２】
変形例では、アプリケーションサーバー４０は、図９に示すイベント検知処理を実行する。前提として、アプリケーションサーバー４０は、図３にＳ２０２で示すように、拡大操作通知（上記実施形態と同様に、分割領域Ｄ１の拡大操作通知とする）を受信しているとする。
【００７３】
アプリケーションサーバー４０は、４台の監視カメラ３１〜３４に対して画像要求を行う（Ｓ３０１）。配信装置３０は、アプリケーションサーバー４０からの画像要求を受け付ける（Ｓ３０２）。配信装置３０は、４台の監視カメラ３１〜３４による各監視画像をアプリケーションサーバー４０に配信する（Ｓ３０３）。
【００７４】
アプリケーションサーバー４０は、４台の監視カメラ３１〜３４からの各監視画像を受信する（Ｓ３０４）。アプリケーションサーバー４０は、受信した４台の監視カメラ３１〜３４からの各監視画像について画像認識処理を行う（Ｓ３０５）。具体的には、アプリケーションサーバー４０が備える画像判断部が、監視カメラ３１の拡大された監視画像について画像認識処理を行い、当該拡大された監視画像の画像に含まれる対象者を監視すべき対象者として特定する。次に、アプリケーションサーバー４０が備える画像判断部が、他の監視カメラ３２〜３４からの各監視画像について監視すべき対象者が含まれるか否かを、監視カメラ３２〜３４ごとに判断する。すなわち、アプリケーションサーバー４０は、他の監視カメラ３２〜３４からの各監視画像について監視すべき対象者が含まれるイベントＥＶのイベント検知を行う（Ｓ３０６）。
【００７５】
アプリケーションサーバー４０は、イベント検知有りと判断した場合（Ｓ３０６「Ｙｅｓ」）には、イベント検知されたイベントＥＶを追記したイベント発生表画像ＥＴＩを作成する（Ｓ３０７）。ここで作成されたイベント発生表画像ＥＴＩは、前述した図３に示すＳ２１３およびＳ２１９において情報端末装置１０に送信される。ユーザーは、図７又は図８に示すように、表示部１２の表示画面における空き領域Ａ２に表示されるイベント発生表画像ＥＴＩの各イベントＥＶを見ることで、イベントＥＶがあったことを把握することができる。このＳ３０７の後、又はイベント検知無しと判断した場合（Ｓ３０６「Ｎｏ」）には、アプリケーションサーバー４０は、画像配信終了であるか否かを判定し（Ｓ３０８）、画像配信終了でない場合（Ｓ３０８「Ｎｏ」）には、Ｓ３０５に戻る。一方、画像配信終了である場合（Ｓ３０８「Ｙｅｓ」）には、本処理を終了する。
【００７６】
なお、上記イベントＥＶとしては、上記監視すべき対象者（例えば円形で図示）の出現以外に、物体又は物品などの対象物の登場・退場、持ち去り、置き去り等を含めるようにしてもよい。例えば、対象物の持ち去り検知は、監視画像から対象物の画像が無くなったことを画像認識することで検知できる。対象物の置き去り検知は、監視画像に対象物の画像が出現したことを画像認識することで検知できる。更に、上記イベントＥＶとしては、対象者の入室・退室などの検知、対象者の動き検知状態の変化（例えば、監視カメラで撮影された監視画像に対する顔認識処理などを行うことで対象者を自動追尾して挙動不審な動きを検知するなど）、情報処理システム１００の起動・停止、録画の開始・停止、外部センサーの検出変化（例えば、複合機が対象物である場合にエラーが発生していない状態においてトナーカバーの開状態が検知されるなど）などを含めるようにしてもよい。
【００７７】
上記イベントＥＶについては、情報端末装置１０又はアプリケーションサーバー４０が監視画像についての画像認識処理を実行するのではなく、配信装置３０が監視画像についての画像認識処理を実行することによって当該イベントを検知し、画像配信とイベント情報とを関連付けた情報とを配信装置３０からアプリケーションサーバー４０に配信し、アプリケーションサーバー４０が、受信したイベント情報に基づいて画像配信におけるイベント発生を把握するようにしてもよい。
【００７８】
上記実施形態及び変形例では、監視カメラ３１〜３４が撮影した監視画像を例に挙げて説明しているが、このような監視画像に限らず、監視目的以外の画像、例えば、スポーツやドキュメンタリーなどのテレビ画像などとしてもよい。
【００７９】
なお、上記実施形態で説明した情報端末装置１０による表示方法は、プログラムとして提供することができる。このプログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該プログラムを記録したコンピューターにより読み取り可能な非一時的な記録媒体が、本発明の一実施形態となる。
【符号の説明】
【００８０】
１０    情報端末装置
１２    表示部
１３    タッチパネル
１４    通信部
２０    制御ユニット
２１    制御部
２２    通信制御部
２３    残領域特定部
２４    配置領域決定部
２５    縮小配置部
２６    表示制御部
２７    画像判断部
２８    判定部
【図１】
2019125053.tif 000003
【図２】
2019125053.tif 000004
【図３】
2019125053.tif 000005
【図４】
2019125053.tif 000006
【図５】
2019125053.tif 000007
【図６】
2019125053.tif 000008
【図７】
2019125053.tif 000009
【図８】
2019125053.tif 000010
【図９】
2019125053.tif 000011